(57)【要約】移動体端末との呼接続を第１のネットワークから第２のネットワークに転送する方法を提供する。第１のネットワークは、回路交換接続モードおよびパケット交換接続モードの両方を処理することが可能である。第２のネットワークは、パケット交換接続モードまたは回路交換接続モードのうちの１つを処理することが可能であるが、それら両方を処理することはできない。端末は、パケット交換呼接続モードおよび回路交換呼接続モードの両方が可能である。この方法は、第１のネットワークが、ネットワークのうちの少なくとも１つに関する移動体端末の位置を識別するステップと、第２のネットワークにおいて使用可能でない接続モードにあるとして移動体端末を識別するステップと、呼接続をその他の接続モードに転送するように移動体端末に命令するステップと、呼接続を第２のネットワークに転送するステップとを備える。
2010500799.tif 000002
【特許請求の範囲】
【請求項１】
移動体端末との呼接続を第１のネットワークから第２のネットワークに転送する方法であって、前記第１のネットワークは回路交換接続モードおよびパケット交換接続モードの両方を処理することが可能であり、前記第２のネットワークは前記パケット交換接続モードまたは前記回路交換接続モードのうちの１つを処理することが可能であるが、それら両方を処理することはできず、前記端末はパケット交換呼接続モードおよび回路交換呼接続モードの両方が可能であり、前記第１のネットワークが
前記ネットワークのうちの少なくとも１つに関する前記移動体端末の位置を識別するステップと、
前記第２のネットワークにおいて使用可能でない接続モードにあるとして前記移動体端末を識別するステップと、
前記呼接続をその他の接続モードに転送するように前記移動体端末に命令するステップと、
前記呼接続を前記第２のネットワークに転送するステップとを備える方法。
【請求項２】
前記ネットワークが同一でない無線受信可能範囲領域を有する、請求項１に記載の方法。
【請求項３】
前記第１のネットワークが、前記回路交換接続モードおよび前記パケット交換接続モードを提供するＵＭＴＳネットワークである、請求項１に記載の方法。
【請求項４】
前記命令がＵＭＴＳ標準によって定義された音声呼の継続性機能による、請求項３に記載の方法。
【請求項５】
前記第２のネットワークが、前記回路交換接続モードを処理することが可能であるが、前記パケット交換接続モードを処理することはできないＧＳＭネットワークである、請求項１に記載の方法。
【請求項６】
前記第２のネットワークが、前記パケット交換接続モードを処理することが可能であるが、前記回路交換接続モードを処理することはできないＬＴＥネットワークである、請求項１に記載の方法。
【請求項７】
前記第２のネットワークがＵＭＴＳ−ＣＳネットワークである、請求項１に記載の方法。
【請求項８】
前記第２のネットワークがＵＭＴＳ−ＰＳネットワークである、請求項１に記載の方法。
【請求項９】
前記命令がブロードキャストチャネル上で送られる、請求項１に記載の方法。
【請求項１０】
前記命令が前記移動体端末に専用のチャネル上で送られる、請求項１に記載の方法。
【請求項１１】
前記移動体端末がＧＳＭ動作モード、ＵＭＴＳ−ＣＳ動作モード、ＵＭＴＳ−ＰＳ動作モードおよびＬＴＥ動作モードが可能な端末である、請求項１に記載の方法。
【請求項１２】
前記呼接続が音声呼接続である、請求項１に記載の方法。
【請求項１３】
パケット交換モードの前記呼接続がＶｏＩＰセッションである、請求項１２に記載の方法。
【請求項１４】
第１のネットワークと第２のネットワークを備える無線通信のためのシステムであって、前記第１のネットワークは移動体端末に対する回路交換呼接続モードおよびパケット交換呼接続モードの両方を処理することが可能であり、
前記第２のネットワークは前記パケット交換呼接続モードまたは前記回路交換呼接続モードのうちの１つを処理することが可能であるが、それら両方を処理することはできないシステムにおいて、
前記ネットワークのうちの少なくとも１つに関する前記移動体端末の位置を識別し、
前記第２のネットワーク内で使用可能でない呼接続モードにあるとして前記移動体端末を識別し、
前記呼接続をその他の接続モードに転送するように前記移動体端末に命令し、
前記呼接続を前記第１のネットワークから前記第２のネットワークに転送するように構成されているシステム。
【請求項１５】
移動体端末との呼接続を第１のネットワークから第２のネットワークに転送する準備をする方法であって、前記第１のネットワークは回路交換接続モードおよびパケット交換接続モードの両方を処理することが可能であり、前記第２のネットワークは前記パケット交換接続モードまたは前記回路交換接続モードのうちの１つを処理することが可能であるが、それら両方を処理することはできず、前記端末はパケット交換呼接続モードおよび回路交換呼接続モードの両方が可能であり、前記第１のネットワークが
前記ネットワークのうちの少なくとも１つに関する前記移動体端末の位置を識別するステップと、
前記第２のネットワークにおいて使用可能でない接続モードにあるとして前記移動体端末を識別するステップと、
前記呼接続をその他の接続モードに転送するように前記移動体端末に命令するステップとを備える方法。
【発明の詳細な説明】
【技術分野】
【０００１】
本発明は電気通信に関し、詳細には、無線通信に関する。
【背景技術】
【０００２】
より大きなＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク内に、パケット交換ＰＳ音声サービスを提供する、多くの場合、サブネットワークまたはサブ領域と呼ばれるネットワークが存在する。これらのサービスは、多くの場合、ボイス・オーバＵＭＴＳ−ＰＳサービスとして示される。
【０００３】
ＵＭＴＳ−ＰＳ音声領域の配備は、少なくとも当初、全世界的ではないであろう。したがって、ＵＭＴＳ受信可能範囲が、ＵＭＴＳネットワークの、多くの場合、ＵＭＴＳ−ＣＳ領域として示される回路交換領域によってだけ提供される領域が存在することになる。回路交換される音声サービスだけがこれらの領域においてサポートされる。
【０００４】
回路交換領域とパケット交換領域の両方を有するＵＭＴＳネットワークにおいて、回路交換領域とパケット交換領域の間で呼を転送することが知られている。音声呼の場合、この転送を実行するための知られている方法は、音声呼の継続性（Ｖｏｉｃｅ  Ｃａｌｌ  Ｃｏｎｔｉｎｕｉｔｙ）ＶＣＣと呼ばれる。
【０００５】
ＶＣＣは、転送の間、移動体端末によるＵＭＴＳ−ＣＳ領域およびＵＭＴＳ−ＰＳ領域の両方に対する同時接続を要求する。その場合、同じ無線アクセス・ネットワークＲＡＮ、詳細には、ＵＭＴＳ地上波無線アクセス・ネットワークＵＴＲＡＮが使用されるため、１個の無線送受信機だけを有する移動体端末に対する同時のＵＭＴＳ−ＣＳ接続およびＵＭＴＳ−ＰＳ接続は可能である。
【０００６】
ＶＣＣプロセスは、セットアップ・メッセージを送っている移動体端末によってトリガされる。ＵＭＴＳ−ＣＳ領域からＵＭＴＳ−ＰＳ領域への転送の場合、セッション初期化プロトコルＳＩＰメッセージがＵＭＴＳ−ＰＳ領域に送られる。ＵＭＴＳ−ＰＳ領域からＵＭＴＳ−ＣＳ領域への転送の場合、特定の呼セットアップ・メッセージがＵＭＴＳ−ＣＳ領域に送られる。
【０００７】
ＶＣＣに関するさらなる情報は、第３世代パートナーシップ・プロジェクト３ＧＰＰ技術仕様書２３．２０６（リリース７）、「回路交換ＣＳおよびＩＰマルチメディア・サブシステムＩＭＳの間の音声呼の継続性」、第２段から入手可能である。例えば、以下のインターネット・アドレスを参照されたい：
ｈｔｔｐ：／／ｗｗｗ．３ｇｐｐ．ｏｒｇ／ｆｔｐ／Ｓｐｅｃｓ／ａｒｃｈｉｖｅ／２３＿ｓｅｒｉｅｓ／２３．２０６／２３２０６−１２１．ｚｉｐ
【０００８】
よく知られている第３世代パートナーシップ・プロジェクト３ＧＰＰの一部として、ある程度までＵＭＴＳ地上波無線アクセス・ネットワークＵＴＲＡＮに基づいて、いわゆる長期的エボリューション（Ｌｏｎｇ  Ｔｅｒｍ  Ｅｖｏｌｕｔｉｏｎ）ＬＴＥネットワークが開発されている。ＬＴＥネットワークは、パケット交換音声サービスである音声サービスだけをサポートする。
【０００９】
移動体端末がＬＴＥネットワークとＵＭＴＳネットワークまたはＧＳＭ（Ｇｌｏｂａｌ  Ｓｙｓｔｅｍ  ｆｏｒ  Ｍｏｂｉｌｅｓ）ネットワークとの間で移動する場合、パケット交換ＬＴＥネットワークおよびＵＭＴＳネットワークまたは回路交換ＧＳＭネットワークのいずれかの回路交換領域の両方に対する同時接続は、移動体端末が２個の無線送受信機を含むことを要求することになる。かかる移動体端末は高価であろう。したがって、かかる端末が広く利用可能になる可能性は低い。これは、大部分の移動体端末にとって、例えば、ＧＳＭネットワーク上またはＵＭＴＳネットワーク上の回路交換呼とＬＴＥネットワーク上のボイス・オーバ・インターネット・プロトコルＶｏＩＰセッションの間で直接的な転送は不可能であることを意味する。
【発明の概要】
【発明が解決しようとする課題】
【００１０】
発明者は、１つのタイプのネットワーク上で確立されている呼が別のタイプのネットワークに転送されること、およびその逆を可能にする必要性が存在するが、多くの移動体端末は両方のネットワーク上で同時の無線接続をサポートすることができないことになる点を認識した。
【課題を解決するための手段】
【００１１】
本発明は、移動体端末との呼接続を第１のネットワークから第２のネットワークに転送する方法を提供する。第１のネットワークは、回路交換接続モードおよびパケット交換接続モードの両方を処理することが可能である。第２のネットワークは、パケット交換接続モードまたは回路交換接続モードのうちの１つを処理することが可能であるが、両方を処理することはできない。端末は、パケット交換呼接続モードおよび回路交換呼接続モードの両方が可能である。この方法は、第１のネットワークが、ネットワークのうちの少なくとも１つに関する移動体端末の位置を識別するステップと、第２のネットワークにおいて使用可能でない接続モードにあるとして移動体端末を識別するステップと、呼接続をその他の接続モードに転送するように移動体端末に命令するステップと、呼接続を第２のネットワークに転送するステップとを備える。
【００１２】
例えば、一実施形態では、順に、まず回路交換呼ハンドオーバ、次いで、ＶＣＣ手順、次いで、パケット交換呼ハンドオーバ手順を使用することによって、エンドユーザによって感知可能なわずかな中断を伴って、またはそのような中断なしに、（ＧＳＭ環境またはＵＭＴＳ環境における）回路交換音声呼をＬＴＥネットワークにおけるＶｏＩＰセッションに転送することが可能になる。逆方向の転送も可能にされる。
【００１３】
例示的な実施形態では、いわゆるトライモード（ＧＳＭ／ＵＭＴＳ／ＬＴＥ可能な）移動体端末を用いた音声呼をＵＭＴＳ−ＣＳネットワークまたはＧＳＭネットワークからＬＴＥネットワークに転送するための機構が提供される。
【００１４】
次に、本発明の実施形態が、例として、図面を参照して説明される。
【図面の簡単な説明】
【００１５】
【図１】無線通信のための３つのネットワークを例示する図である。
【図２】図１に示されるそれらの３つのネットワークの無線受信可能範囲領域を例示する図である。
【図３】図１に示される、ＧＳＭネットワークからＬＴＥネットワークへの呼の転送を例示する概略的な流れ図である。
【図４】無線通信のための２つのネットワークを例示する図である。
【図５】図４に示されるそれらの２つのネットワークの無線受信可能範囲領域を例示する図である。
【図６】図４に示される、ＧＳＭネットワークからＵＭＴＳネットワークのパケット交換領域への呼の転送を例示する概略的な流れ図である。
【発明を実施するための形態】
【００１６】
図面は原寸に比例せず、概略的な表現である。
【００１７】
いくつかのネットワークで構成される第１のシステムの構造が説明される。これらのネットワークの無線受信可能範囲と、その後に続く、ネットワーク間で呼を転送するための手順が考慮される。手順を使用する例示的な順序が次いで説明される。
【００１８】
次いで、第２のシステムが説明され、その機能が説明される。
【００１９】
第１のシステム構造
図１は異なるタイプの３つのネットワーク、すなわち、ＧＳＭネットワーク４、ＵＭＴＳネットワーク６、およびＬＴＥネットワーク８からなるシステム２を示す。
【００２０】
ＧＳＭネットワーク４は、移動体スイッチング・センターＭＳＣを含むコアネットワーク１０を含む回路交換ＣＳネットワークである。ＧＳＭコアネットワーク１０は音声呼をサポートする。コアネットワーク１０は、ＧＳＭ無線アクセス・ネットワークＲＡＮ１２に接続される。
【００２１】
ＵＭＴＳネットワーク６は、回路交換領域１６およびパケット交換領域１８によって構成されるコアネットワーク１４を含む。両方の領域１６、１８が音声サービスをサポートする。回路交換領域１６は移動体スイッチング・センターＭＳＣ（図示せず）を含む。パケット交換領域１８は、サービス提供しているＧＰＲＳサポート・ノードＳＧＳＮ（図示せず）と、ゲートウェイＧＰＲＳサポート・ノードＧＧＳＮ（図示せず）とを含む。２つの領域１６、１８は、無線アクセス・ネットワークＲＡＮ２０、詳細には、ＵＭＴＳ地上波無線アクセス・ネットワークＵＴＲＡＮに接続される。
【００２２】
ＵＭＴＳパケット交換領域１８において、音声サービスはボイス・オーバ・インターネット・プロトコルＶｏＩＰサービスである。ＶｏＩＰサービスは、当然、知られているように、インターネット・プロトコル・マルチメディア・サブシステムＩＭＳ領域によってサポートされる。
【００２３】
ＬＴＥネットワークはパケット交換サービスだけをサポートし、音声はＶｏＩＰの形式でだけサポートされる。ＬＴＥネットワーク８は、無線アクセス・ネットワークＲＡＮ２４に接続されたパケット交換コアネットワーク２２を含む。
【００２４】
前述のように、ＧＳＭネットワーク４、ＵＭＴＳネットワーク６、およびＬＴＥネットワーク８のそれぞれは、その独自のそれぞれの無線アクセス・ネットワークＲＡＮ１２、２０、２４を含む。いずれの場合も、ＲＡＮは基地局（図示せず）を制御している無線ネットワーク・コントローラ（図示せず）からなる。それぞれの基地局は１本または複数のアンテナ（図示せず）を含む。それぞれのアンテナの無線受信可能範囲領域はセル（図示せず）として知られている。
【００２５】
ネットワーク受信可能範囲
図２に示されるように、ＬＴＥネットワークは、高いユーザ密度が期待される無線受信可能範囲領域２６を提供するために配備される。ＵＭＴＳ受信可能範囲領域２８、３０は、より大きい。ＵＭＴＳネットワークによる無線受信可能範囲の対象になる一部の領域２８だけがパケット交換ＰＳ音声サービスを処理することができる。しかし、ＵＭＴＳネットワークの回路交換音声サービスをサポートする無線受信可能範囲領域３０は、パケット交換音声サービスがサポートされる対応する領域よりもより大きい。
【００２６】
ＵＭＴＳ受信可能範囲領域２８、３０においてＧＳＭ受信可能範囲も利用であるように、ＧＳＭ無線受信可能範囲領域はさらにより大きい。
【００２７】
移動体端末
システム２において使用される移動体端末（ユーザ装置ＵＥ）３２は、すべての３つのネットワーク４、６、８との異なる時点での接続が可能であり、したがって、トライモード移動体端末と呼ばれる。移動体端末３２は一度に２つ以上のネットワークと接続することができない。移動体端末３２は、回路交換音声サービスおよびＶｏＩＰサービスを処理することが可能である。
【００２８】
移動体端末が別のネットワークのセルに近接していることを識別する
システム２は、ネットワークのうちの１つに接続された移動体端末がいつ別のネットワークのセルに十分に近づくかを識別することが可能である。
【００２９】
ネットワーク内のそれぞれのセルの基地局は、近接するセルのリストを用いて構成される。そのリストは、現在接続されている同じネットワークの近接するセルを識別する情報に加えて、その他のネットワークの近くのセルに関する情報を含む。システム２はまた、移動体端末が現在どのセルに接続されているかも当然知っている。したがって、移動体端末が存在するセルにとっての近接するセルのリストを検査することによって、システム２は、その他の２つのネットワークのうちのいずれかにその移動体端末にとっての何らかの近接するセルが存在するかどうかを識別することが可能である。
【００３０】
加えて、ネットワークは移動体端末から測定報告も受信する。測定報告は測定された信号減衰（経路損失）、したがって、基地局から移動体端末までの距離の表示を提示する。したがって、測定報告はセル・レベルよりもより細かな粒度で移動体端末位置の知識を提供する。測定報告に基づいて、ネットワークは移動体端末がその他のネットワークのうちの１つのセルの境界に近接するかどうかを識別することが可能である。
【００３１】
ネットワーク間で呼をハンドオーバするための手順
以下の３つの手順がそれぞれ利用可能であり、かつそれぞれのネットワークによって制御され得る。
（１）ＵＭＴＳ−ＰＳ領域からＬＴＥネットワークへのハンドーバ、およびその逆のハンドオーバ。
（２）ＵＭＴＳ−ＣＳ領域からＧＳＭネットワークへのハンドオーバ、およびその逆のハンドオーバ。
（３）ＵＭＴＳ−ＰＳ領域とＵＭＴＳ−ＣＳ領域の間の音声呼の転送、およびその逆の転送。
【００３２】
これらは下で説明される。
【００３３】
（１）ＵＭＴＳ−ＰＳ領域からＬＴＥネットワークへのハンドオーバ、およびその逆のハンドオーバ
ＵＭＴＳ−ＰＳ領域とＬＴＥネットワークの間でパケット交換サービス・ハンドオーバを実行することが、実際に知られている。
【００３４】
ＶｏＩＰはＵＭＴＳ−ＰＳ領域によってサポートされることが可能であり、したがって、ＬＴＥ受信可能範囲領域とＵＭＴＳ受信可能範囲領域の間の転送は、ＬＴＥネットワークとＵＭＴＳネットワークの間のかかる知られているパケット交換サービス・ハンドオーバによって達成される。ＬＴＥネットワークにおいて、これはネットワーク制御されたハンドオーバ能力がＵＭＴＳ−ＰＳに対して提供されかつＵＭＴＳ−ＰＳから提供されることを意味する。
【００３５】
（２）ＵＭＴＳ−ＣＳ領域からＧＳＭネットワークへのハンドオーバ、およびその逆のハンドオーバ
ＧＳＭネットワークとＵＭＴＳ−ＣＳネットワークの間で回路交換サービス・ハンドオーバを実行することが、実際に知られている。
【００３６】
（３）ＵＭＴＳ−ＰＳ領域とＵＭＴＳ−ＣＳ領域の間の転送、およびその逆の転送
既に述べたように、ＵＭＴＳ−ＰＳ領域とＵＭＴＳ−ＣＳ領域の間で音声呼の転送、およびその逆の転送を実行することが、実際に知られている。知られている手順は、音声呼の継続性ＶＣＣと呼ばれる。既に述べたように、ＶＣＣはＵＭＴＳ−ＣＳネットワークとＵＭＴＳ−ＰＳネットワークの間の呼の転送の間、移動体端末によるＵＭＴＳ−ＣＳ領域およびＵＭＴＳ−ＰＳ領域の両方に対する同時接続を要求する。同じ無線アクセス・ネットワーク、詳細には、ＵＴＲＡＮがその時点でこれら両方のために使用される。
【００３７】
ＶＣＣプロセスは、セットアップ・メッセージを送っている移動体端末によってトリガされる。ＵＭＴＳ−ＣＳ領域からＵＭＴＳ−ＰＳ領域への転送の場合、セッション開始プロトコルＳＩＰメッセージがＵＭＴＳ−ＰＳ領域に送られる。ＵＭＴＳ−ＰＳ領域からＵＭＴＳ−ＣＳ領域への転送の場合、特定の呼セットアップ・メッセージがＵＭＴＳ−ＣＳ領域に送られる。
【００３８】
例示的なシナリオ
第１の例示的なシナリオは以下の通りである。
【００３９】
図３に示されるように、ＧＳＭネットワークに接続され、したがって、回路交換モードで動作しているトライモード（ＧＳＭ、ＵＭＴＳ、ＬＴＥ可能な）移動体端末は、ＬＴＥネットワークの受信可能範囲領域に近接していると決定される（ステップａ）。
【００４０】
次いで、ＵＭＴＳ受信可能範囲も利用可能であるかどうかについて検査される（ステップｂ）。
【００４１】
「はい」である場合、呼はＧＳＭネットワークからＵＭＴＳネットワーク回路交換領域にハンドオーバされる（ステップｃ）。
【００４２】
次いで、ＵＭＴＳパケット交換受信可能範囲も利用可能であるかどうかについて検査される（ステップｄ）。
【００４３】
「はい」である場合、呼はパケット交換領域に転送される（ステップｅ）。これは、ＵＭＴＳネットワークが、この時ＵＭＴＳ−ＣＳ領域に接続された移動体端末にトリガ信号を送り、呼をＵＭＴＳパケット交換領域に転送するように移動体端末に命令することによって行われる。この転送は上で説明されたＶＣＣ手順を使用して行われる。
【００４４】
ＶＣＣ手順が完了し、結果として、呼がパケット交換ＵＭＴＳ領域に転送された後で、移動体端末は、移動体端末がＬＴＥネットワーク受信可能範囲領域内にあることを表示するトリガ信号をＬＴＥネットワークから受信する（ステップｆ）。移動体はＬＴＥネットワークにハンドオーバされる（ステップｇ）。
【００４５】
もう１つの例示的なシナリオは、ＬＴＥ受信可能範囲領域から移動している移動体端末がＬＴＥネットワークからＵＭＴＳネットワークのＵＭＴＳ−ＰＳ領域にハンドオーバされ、そしてその後にＵＭＴＳネットワークのＵＭＴＳ−ＣＳ領域にハンドオーバされることになる場合である。当然、これは、その無線受信可能範囲がＬＴＥ受信可能範囲境界を越えて広がるＵＭＴＳネットワークが、パケット交換サービス、特に、パケット交換音声サービスをサポートしなければならないことを要求する。
【００４６】
ＵＭＴＳパケット交換領域およびＵＭＴＳ回路交換領域の間で転送がどのようにトリガされるか
一実施形態では、ＵＭＴＳネットワークは、移動体端末がいくつかの特定のセル範囲内に（例えば、ＬＴＥ受信可能範囲領域に近接して）存在する場合、ＶＣＣ手順を実行するように移動体端末に命令するブロードキャスト情報を送ることによって、回路交換からパケット交換へのサービスの切換えをトリガする。オペレータがＬＴＥ  ＶｏＩＰへのハンドオーバを強制することを望む場合、ブロードキャスト情報はＵＭＴＳ−ＰＳ接続モードになる／入るように移動体端末に命令することになる。ＧＳＭだけの領域に近接して、移動体端末はハンドオーバを実施するためにＵＭＴＳ−ＣＳ接続モードになる／入るように要求されることになる。
【００４７】
あるいは、その他の点では類似する、もう１つの実施形態では、トリガ信号は専用チャネル上で特定の移動体端末に送られることが可能である。これは、例えば、単にセル・サイズ・レベルよりも細かな粒度で知られる、ＬＴＥ境界に対する移動体端末の近接性の知識に基づいて、移動体端末が回路交換領域とパケット交換領域の間で導かれる良好な制御を提供する。
【００４８】
いくつかの詳細
音声向けのＵＭＴＳ−ＰＳ領域受信可能範囲が不統一であり、ただし少なくともＧＳＭネットワークによる受信可能範囲が存在するネットワークの領域において、ＵＭＴＳネットワークは音声呼がＵＭＴＳ−ＣＳ領域を使用してサポートされることを強制し、一方、呼接続はＵＭＴＳネットワークを用いてサポートされる。例えば、不統一である音声向けのＵＭＴＳ−ＰＳ領域受信可能範囲の領域において、ＵＭＴＳ基地局は、音声呼をＵＭＴＳ−ＰＳ領域からＵＭＴＳ−ＣＳ領域に移動するよう移動体端末をトリガする情報をブロードキャストチャネル上で送信するように構成され得る。他方で、不統一でないＵＭＴＳ受信可能範囲の領域において、ＵＭＴＳネットワークは、移動体端末がＵＭＴＳ−ＰＳ領域に接続された音声呼を維持することを可能にする情報をブロードキャストチャネル上で送信することが可能である。
【００４９】
ユーザがＧＳＭネットワークまたはＵＭＴＳ−ＣＳ領域を用いて呼を開始する場合、ＬＴＥネットワークとの接続に遷移する決定は、ユーザ、トラフィック・タイプなどにどのように優先順位をつけるかについての方針によって下される。システム（または、移動体端末で利用可能なシステムに関する情報に基づいて、移動体端末）がＶｏＩＰにシフトするためのコマンドを送らない限り、呼はＧＳＭ接続された状態またはＵＭＴＳ−ＣＳ接続された状態で残ることになる。システムが、ＶｏＩＰがそこでＵＭＴＳネットワークによってサポートされるという肯定的な情報を提供する場合、移動体端末はＵＭＴＳ−ＰＳ領域にシフトすることを決定することが可能である。
【００５０】
ＬＴＥネットワークへの遷移は、次いで、ＵＭＴＳ−ＰＳ領域とＬＴＥネットワークの間のネットワーク制御されたハンドオーバに関するユーザ、トラフィック・タイプなどについての方針によって支配されることになる。
【００５１】
第２の例示的なシステム
図４は、ＵＭＴＳネットワーク６’からなるシステム２’を示す。ＵＭＴＳネットワーク６’は、回路交換領域１６’およびパケット交換領域１８’によって構成されるコアネットワーク１４’を含む。両方の領域１６’、１８’が音声サービスをサポートする。回路交換領域１６’は移動体スイッチング・センターＭＳＣ（図示せず）を含む。パケット交換領域１８’は、サービス提供しているＧＰＲＳサポート・ノードＳＧＳＮ（図示せず）と、ゲートウェイＧＰＲＳサポート・ノードＧＧＳＮ（図示せず）とを含む。２つの領域１６’、１８’は、無線アクセス・ネットワークＲＡＮ２０’、詳細には、ＵＭＴＳ地上波無線アクセス・ネットワークＵＴＲＡＮに接続される。
【００５２】
ＵＭＴＳパケット回路領域１４’において、音声サービスはボイス・オーバ・インターネット・プロトコルＶｏＩＰサービスである。
【００５３】
ＵＭＴＳネットワーク６’は無線アクセス・ネットワークＲＡＮを含む。ＲＡＮは基地局（図示せず）を制御している無線ネットワーク・コントローラ（図示せず）からなる。それぞれの基地局は１本または複数のアンテナ（図示せず）を含む。それぞれのアンテナの無線受信可能範囲領域はセル（図示せず）として知られる。
【００５４】
図５に示されるように、ＵＭＴＳネットワークによる無線受信可能範囲の対象になる一部の領域２８’だけがパケット交換音声サービスを処理することが可能である。しかし、ＵＭＴＳネットワークの回路交換音声サービスをサポートする無線受信可能範囲領域３０’は、パケット交換サービスがサポートされる対応する領域よりもより大きい。
【００５５】
この例では、移動体端末はＣＳモードおよびＰＳモードのいずれかを選択可能にサポートすることが可能なＵＭＴＳだけの端末である。
【００５６】
例示的なシナリオが図６に示される。図６に示されるように、ＵＭＴＳ移動体端末はパケット交換領域１８’に接続される（ステップａ）。パケット交換サービス受信可能範囲の領域２８’から出るところであると決定されている（ステップｂ）とすぐ、呼はパケット交換領域１８’との接続から回路交換領域３０’との接続にハンドオーバされる（ステップｃ）。このハンドオーバはネットワークから送られているトリガ信号によって引き起こされる。
【００５７】
略語のリスト
３ＧＰＰ：第３世代パートナーシップ・プロジェクト
ＣＳ：回路交換
ＧＳＭ：汎欧州デジタル移動電話方式
ＬＴＥ：長期的エボリューション
ＰＳ：パケット交換
ＳＩＰ：セッション開始プロトコル
ＵＭＴＳ：ユニバーサル移動体通信システム
ＶＣＣ：音声呼の接続性
ＶｏＩＰ：ボイス・オーバ・インターネット・プロトコル
【００５８】
概要
本発明はその精神または必須の特性から逸脱せずにその他の特定の形式で実施されることが可能である。説明された実施形態は、限定的ではなく、例示としてだけあらゆる点で考慮される。したがって、本発明の範囲は、前述の説明によってではなく添付の特許請求の範囲によって表示される。特許請求の範囲の均等物の意味および範囲に包括されるすべての変更はそれらの範囲内に包含される。
【符号の説明】
【００５９】
２、２’  システム
４  ＧＳＭネットワーク
６、６’  ＵＭＴＳネットワーク
８  ＬＴＥネットワーク
１０  コアネットワーク
１２  ＧＳＭ無線アクセス・ネットワーク
１４、１４’  コアネットワーク
１６、１６’  回路交換領域
１８、１８’  パケット交換領域
２０、２０’  無線アクセス・ネットワーク
２２  ＬＴＥネットワーク
２４  無線アクセス・ネットワーク
２６  無線受信可能範囲領域
２８  ＵＭＴＳ受信可能範囲領域
２８、２８’  領域
３０  ＵＭＴＳ受信可能範囲領域
３２  ＧＳＭ無線受信可能範囲領域
３２  移動体端末
【図１】
2010500799.tif 000003
【図２】
2010500799.tif 000004
【図３】
2010500799.tif 000005
【図４】
2010500799.tif 000006
【図５】
2010500799.tif 000007
【図６】
2010500799.tif 000008
【国際調査報告】
2010500799.tif 000009
2010500799.tif 000010
2010500799.tif 000011